【手続補正書】
【提出日】平成30年2月5日(2018.2.5)
【手続補正１】
【補正対象書類名】明細書
【補正対象項目名】発明の名称
【補正方法】変更
【補正の内容】
【発明の名称】撮影装置、及び送信制御方法
【手続補正２】
【補正対象書類名】明細書
【補正対象項目名】０００１
【補正方法】変更
【補正の内容】
【０００１】
本発明は、撮影装置、及び送信制御方法に関する。
【手続補正３】
【補正対象書類名】明細書
【補正対象項目名】０００６
【補正方法】変更
【補正の内容】
【０００６】
上記目的を達成するため、本発明の一態様の撮影装置は、
撮影指示を契機として、撮像手段により撮像された画像を取得して、所定の処理を施し撮影画像を生成する撮影手段と、
前記撮影手段により生成された撮影画像を外部装置に送信する送信手段と、
ユーザ操作により、前記撮影手段により生成された撮影画像を前記送信手段により外部装置に自動で送信を行うか否かを設定する設定手段と、
前記設定手段により自動で送信を行うと設定されている期間に前記撮影手段により生成された撮影画像を、当該撮影手段による撮影画像の生成の完了を契機として、外部装置に自動で送信するように送信手段を制御する送信制御手段と、
を備え、
前記設定手段は、前記送信手段による撮影画像の送信中であっても、ユーザ操作による自動で送信を行うか否かの設定を行い、
前記送信制御手段は、前記設定手段により自動で送信を行うと設定されている期間に前記撮影手段により生成され、かつ前記送信手段による自動送信が開始されていない撮影画像については、前記送信手段による他の撮影画像の送信中に前記設定手段により自動で送信を行わないように設定が変更された後であっても、他の撮影画像の送信終了後自動で送信するように当該送信手段を制御する、
ことを特徴とする。
【手続補正４】
【補正対象書類名】特許請求の範囲
【補正対象項目名】全文
【補正方法】変更
【補正の内容】
【特許請求の範囲】
【請求項１】
撮影指示を契機として、撮像手段により撮像された画像を取得して、所定の処理を施し撮影画像を生成する撮影手段と、
前記撮影手段により生成された撮影画像を外部装置に送信する送信手段と、
ユーザ操作により、前記撮影手段により生成された撮影画像を前記送信手段により外部装置に自動で送信を行うか否かを設定する設定手段と、
前記設定手段により自動で送信を行うと設定されている期間に前記撮影手段により生成された撮影画像を、当該撮影手段による撮影画像の生成の完了を契機として、外部装置に自動で送信するように送信手段を制御する送信制御手段と、
を備え、
前記設定手段は、前記送信手段による撮影画像の送信中であっても、ユーザ操作による自動で送信を行うか否かの設定を行い、
前記送信制御手段は、前記設定手段により自動で送信を行うと設定されている期間に前記撮影手段により生成され、かつ前記送信手段による自動送信が開始されていない撮影画像については、前記送信手段による他の撮影画像の送信中に前記設定手段により自動で送信を行わないように設定が変更された後であっても、他の撮影画像の送信終了後自動で送信するように当該送信手段を制御する、
ことを特徴とする撮影装置。
【請求項２】
前記送信制御手段は、前記設定手段により自動で送信を行うと設定されている期間に前記撮影手段により生成された複数の撮影画像を、送信可能なタイミングで順次送信していくように前記送信手段を制御し、
前記設定手段は、前記送信手段により複数の撮影画像を順次送信している最中であっても、ユーザ操作により自動で送信を行うか否かの設定を変更することが可能であり、
前記送信制御手段は、前記設定手段により自動で送信を行うと設定されている期間に前記撮影手段により生成された撮影画像については、前記設定手段により自動で送信を行わないように設定を変更した後であっても、送信可能な状態を継続して順次送信していくように前記送信手段を制御する、
ことを特徴とする請求項１に記載の撮影装置。
【請求項３】
前記送信制御手段は、前記設定手段により自動送信を行うと設定されている期間に前記撮影手段により生成された撮影画像を、送信対象撮影画像として管理する、
ことを特徴とする請求項１又は２に記載の撮影装置。
【請求項４】
撮影指示を契機として、撮像手段により撮像された画像を取得して、所定の処理を施し撮影画像を生成する撮影手段と、
前記撮影手段により生成された撮影画像を、送信対象撮影画像として外部装置に自動で送信するように送信手段を制御する送信制御手段と、
を備え、
前記送信制御手段は、前記送信手段による撮影画像の自動送信中に、ユーザにより電源オフ操作が行われた場合には、電源オフ操作前に生成された送信対象撮影画像を、電源オフ処理前に送信を完了させるように送信手段を制御し、前記撮影画像全ての送信完了前に、更にユーザによる電源オフ操作が行われた場合は、全ての送信の完了を待たずに送信を停止するように前記送信手段を制御する、
ことを特徴とする撮影装置。
【請求項５】
前記送信制御手段は、前記撮影手段により生成された複数の撮影画像を、送信可能なタイミングで順次送信していくように前記送信手段を制御し、
前記送信制御手段は、前記複数の撮影画像を順次送信していくように前記送信手段を制御する、
ことを特徴とする請求項４に記載の撮影装置。
【請求項６】
前記送信制御手段は、前記撮影手段により生成された撮影画像を、送信対象撮影画像として管理し、前記送信手段による撮影画像の自動送信中に、ユーザにより電源オフ操作が行われた場合は、電源オフ処理前に前記送信対象撮影画像全ての送信を完了させるように送信手段を制御し、更にユーザによる電源オフ操作が行われた場合は、送信が完了していない撮影画像を送信対象撮影画像から外す処理を行う、
ことを特徴とする請求項５に記載の撮影装置。
【請求項７】
前記撮影手段により生成された撮影画像を記憶する記憶手段を更に備え、
前記記憶手段は、前記送信制御手段により生成された撮影画像が自動送信された後も、記憶した撮影画像を保持する、
ことを特徴とする請求項１乃至６の何れか１項に記載の撮影装置。
【請求項８】
前記送信制御手段は、前記記憶手段に記憶されている撮影画像とは独立して、送信対象撮影画像を管理する、
ことを特徴とする請求項７に記載の撮影装置。
【請求項９】
前記送信制御手段が、外部装置に自動で送信するように前記送信手段を制御する際に、当該外部装置が電源オフ状態である場合は、当該外部装置に対して電源をオンして受信状態となるように指示信号を送信する受信指示手段を、更に備える、
ことを特徴とする請求項１乃至８の何れか１項に記載の撮影装置。
【請求項１０】
前記撮影手段は、前記送信手段による撮影画像の送信中であっても、撮影指示を受けた場合に、他の撮影画像の生成処理を行う、
ことを特徴とする請求項１乃至９の何れか１項に記載の撮影装置。
【請求項１１】
撮像手段と、画像を外部装置に送信する送信手段と、を備える撮影装置で実行される送信制御方法であって、
撮影指示を契機として、前記撮像手段により撮像された画像を取得して、所定の処理を施し撮影画像を生成する撮影処理と、
ユーザ操作により、前記撮影処理で生成された撮影画像を前記送信手段により外部装置に自動で送信を行うか否かを設定する設定処理と、
前記設定処理で、自動で送信を行うと設定されている期間に前記撮影処理で生成された撮影画像を、当該撮影処理での撮影画像の生成の完了を契機として、外部装置に自動で送信するように前記送信手段を制御する送信制御処理と、
を含み、
前記設定処理では、前記送信手段による撮影画像の送信中であっても、ユーザ操作による自動で送信を行うか否かの設定を行い、
前記送信制御処理では、前記設定処理で、自動で送信を行うと設定されている期間に前記撮影処理で生成され、かつ前記送信手段による自動送信が開始されていない撮影画像については、前記送信手段による他の撮影画像の送信中に前記設定処理で、自動で送信を行わないように設定が変更された後であっても、他の撮影画像の送信終了後自動で送信するように当該送信手段を制御する、
ことを特徴とする送信制御方法。
【請求項１２】
撮像手段と、画像を外部装置に送信する送信手段と、を備える撮影装置で実行される送信制御方法であって、
撮影指示を契機として、前記撮像手段により撮像された画像を取得して、所定の処理を施し撮影画像を生成する撮影処理と、
前記撮影処理で生成された撮影画像を、送信対象撮影画像として外部装置に自動で送信するように前記送信手段を制御する送信制御処理と、
を含み、
前記送信制御処理では、前記送信手段による撮影画像の自動送信中に、ユーザにより電源オフ操作が行われた場合には、電源オフ操作前に生成された送信対象撮影画像を、電源オフ処理前に送信を完了させるように送信手段を制御し、前記撮影画像全ての送信完了前に、更にユーザによる電源オフ操作が行われた場合は、全ての送信の完了を待たずに送信を停止するように前記送信手段を制御する、
ことを特徴とする送信制御方法。